(57)【要約】【課題】簡単な構造にて一般家庭にも設置することができる気体溶解水噴出装置を提供する。【解決手段】気体溶解水噴出装置を、一般水道管に配管接続された外釜あるいは内釜方式の給湯装置に連結した温水混合栓１と、温水混合栓１に着脱可能に連結されるジョイント体３を有する水供給ホース２と、炭酸ガスなどの気体を貯蔵する小型ボンベ４と、小型ボンベ４に連結される気体供給ホース５と、水供給ホース２が連結される水受部７および気体供給ホース５が連結される気体受部８を有する気体溶解水発生器６と、気体溶解水発生器６の気体溶解水供給部１１に対して気体溶解水供給ホース１０を介して連結されるシャワーヘッド９とから構成する。【選択図】図１
0003143176.tif 000002
【実用新案登録請求の範囲】
【請求項１】
水道水に気体を溶かし込んだ液体を利用者の頭部または身体の一部に対して噴出するノズルヘッドを備えた気体溶解水噴出装置であって、
水道管に配管接続された給湯装置の温水混合栓に連結可能なジョイント体を有する水供給ホースと、
前記気体を貯蔵する小型ボンベと、
前記小型ボンベに連結される気体供給ホースと、
前記水供給ホースが連結される水受部と、前記気体供給ホースが連結される気体受部とを有する気体溶解水発生器と、
前記気体溶解水発生器の気体溶解水供給部に連結されるノズルヘッドと、
を備えたことを特徴とする気体溶解水噴出装置。
【請求項２】
前記ノズルヘッドがシャワーヘッドであることを特徴とする請求項１記載の気体溶解水噴出装置。
【請求項３】
前記気体が炭酸ガスまたはオゾンガスまたは水素ガスであることを特徴とする請求項１記載の気体溶解水噴出装置。
【考案の詳細な説明】
【技術分野】
【０００１】
本考案は、水道水に気体を溶かし込んだ液体を利用者の頭部または身体の一部に対して噴出する気体溶解水噴出装置に関するものである。
【背景技術】
【０００２】
特許文献１に記載されているように、炭酸ガスを溶かし込んだ溶解温水による温水シャワーは、身体に対して温熱作用に加えて血行促進効果を有することが知られており、例えば、特許文献２に記載されているように、炭酸ガスを溶かし込んだ溶解温水を洗髪に用い、洗髪することによって頭皮と毛根を健康に保つことができるようにしたシャワー装置も知られている。
【特許文献１】特開平１１−１０４２０９号公報
【特許文献２】特開平１０−３１４０６１号公報
【考案の開示】
【考案が解決しようとする課題】
【０００３】
しかし、前記従来のシャワー装置は、装置に着座手段と、複数の温水噴出手段を設置するなど、その構造が全体として複雑であって利用場所が特定の場所に限られる。また、家庭用としては装置が大型になり、実際的には、その設置に手間がかかるなど、一般家庭に簡単に設置することは困難である。
【０００４】
本考案は、前記従来の技術に鑑み、簡単な構造にて一般家庭でも設置することができるようにした気体溶解水噴出装置を提供することを目的とする。
【課題を解決するための手段】
【０００５】
前記目的を達成するため、請求項１に記載の考案は、水道水に気体を溶かし込んだ液体を利用者の頭部または身体の一部に対して噴出するノズルヘッドを備えた気体溶解水噴出装置であって、水道管に配管接続された給湯装置の温水混合栓に連結可能なジョイント体を有する水供給ホースと、前記気体を貯蔵する小型ボンベと、前記小型ボンベに連結される気体供給ホースと、前記水供給ホースが連結される水受部と前記気体供給ホースが連結される気体受部とを有する気体溶解水発生器と、前記気体溶解水発生器の気体溶解水供給部に連結されるノズルヘッドとを備えたことを特徴とし、この構成によって、一般家庭の洗面台あるいは浴槽などの一般水道管に配管接続された温水混合栓に対して水供給ホースを連結することにより、本気体溶解水噴出装置は簡単に設置される。
【０００６】
請求項２に記載の考案は、請求項１記載の気体溶解水噴出装置において、ノズルヘッドがシャワーヘッドであることを特徴とし、シャワー効果により血行促進効果が向上する。
【０００７】
請求項３に記載の考案は、請求項１記載の気体溶解水噴出装置において、気体が炭酸ガスまたはオゾンガスまたは水素ガスであることを特徴とし、このように各種の気体を混入することにより、多岐の目的に対応した利用法に対応することができる。
【考案の効果】
【０００８】
本考案によれば、一般水道管に配管接続された給湯装置の温水混合栓に着脱可能に連結されるジョイント体を有する水供給ホースと、気体を貯蔵する小型ボンベと、小型ボンベに連結される気体供給ホースと、水供給ホースが連結される水受部と気体供給ホースが連結される気体受部を有する気体溶解水発生器と、気体溶解水発生器の気体溶解水供給部に連結されるノズルヘッドとを備えた構成であって、洗面台あるいは浴槽などの一般的な給湯装置の温水混合栓にホースを連結することにより、本気体溶解水噴出装置を特殊なシャワー装置などとして設置することが可能であるため、簡素化された構成で、温水混合栓が備えられている場所であれば、一般家庭であっても、簡単かつ容易に設置することができる気体溶解水噴出装置が実現する。
【考案を実施するための最良の形態】
【０００９】
以下、本考案の実施の形態を図面に基づいて説明する。
【００１０】
図１は本考案の気体溶解水噴出装置の実施の形態を説明するための概略構成図である。
【００１１】
図１において、１は一般水道管に配管接続された外釜あるいは内釜方式の給湯装置（図示せず）に連結した温水混合栓、２は後述するように温水混合栓１に着脱可能に連結されるジョイント体３を有する水供給ホース、４は気体（炭酸ガスまたはオゾンガスまたは水素ガス）を貯蔵する小型ボンベ、５は小型ボンベ４に連結される気体供給ホース、６は、水供給ホース２が連結される水受部７と気体供給ホース５が連結される気体受部８とを有する気体溶解水発生器、９は、気体溶解水供給ホース１０を介して気体溶解水発生器６の気体溶解水供給部１１に連結されるノズルヘッドとしてのシャワーヘッドである。
【００１２】
前記温水混合栓１は、図２に示すように、図示しない給湯装置に連結される水側配水管１２と湯側配水管１３に連結して設置面の前方に設置され、水側配水管１２と湯側配水管１３から供給される水と湯とを混合した湯水を生成し、スパウト１４とシャワー用口１５から湯水を供給する一般的な構成のものである。
【００１３】
温水混合栓１の両端部には、流量調節／吐水切替用のハンドル部１６と、温度調節用のハンドル部１７とがそれぞれ設けられ、両ハンドル部１６，１７の利用者による操作により、吐水される湯水の量と温度が設定され、スパウト１４あるいはシャワー用口１５のいずれから湯水（勿論、常温水も供給可能）が供給される。
【００１４】
本例では、温水混合栓１のシャワー用口１５に設置初期段階に取り付けられていたシャワーヘッドを取り外すことにより、水供給ホース２をジョイント体３にて連結している。これにより本実施の形態の気体溶解水噴出装置が構成される。
【００１５】
本実施の形態の気体溶解水噴出装置では、図３に示すように、温水混合栓１の設置面と同じ面に、気体溶解水発生器６の裏面に設けた係合フック部１８を引っ掛けるようにして固定している。
【００１６】
次に、本実施の形態の気体溶解水噴出装置の使用法を説明する。本例では、炭酸ガス（液化されたものであってもよい）を小型ボンベ４に収納した例を説明する。
【００１７】
先ず、利用者は、温水混合栓１の両ハンドル部１６，１７を操作して、適当な湯量，湯温度に設定し、かつシャワー用口１５から湯水が供給されるようにセットする。さらに、小型ボンベ４に設けられているガス調節器４ａを操作し、気体供給ホース５を通して炭酸ガスを気体溶解水発生器６へ供給する。このとき、湯量などに対応した炭酸ガスが供給されるように、ガス調節器４ａの操作量はあらかじめ設定されている。
【００１８】
これによって、気体溶解水発生器６では、炭酸ガスが溶解している湯水が気体溶解水供給ホース１０を通してシャワーヘッド９から噴出する。
【００１９】
このように、本実施の形態では、温水混合栓１のシャワー用口１５から、本気体溶解水噴出装置を設置する前に取り付けられていたシャワーヘッドおよびホースを取り外し、本気体溶解水噴出装置の水供給ホース２をジョイント体３にてシャワー用口１５に連結することにより、一般家庭に簡単かつ容易に、本気体溶解水噴出装置を取り付けることが可能になる。
【００２０】
このような気体溶解噴出装置にて、例えば、炭酸ガスを溶解した湯水を利用者の頭部に噴射することにより、頭皮および毛髪の洗浄およびトリートメントが行われ、健康な毛髪を保つことができる。これは利用者の頭部や頭髪の状態にて、湯水に混入する炭酸ガスの量をガス調節器４ａにより調節することにより、より適正に行うことができる。
【００２１】
さらに、小型ボンベ４を種類の異なるガスが収納されているものを用意し、ボンベを適宜交換することにより、各種目的に対応した利用法に対応することができる。
【００２２】
また、前記のような頭髪洗浄の他に、本気体溶解噴出装置を浴室に設けて、浴槽の湯の中に炭酸ガスやオゾンガスなどからなる気体溶解水を注ぐようにすることにより、身体全体に対して加温作用に加えて、ガスによる血行促進効果の助長、皮脂の除去作用や滅菌効果が加わるようにすることができる。
【産業上の利用可能性】
【００２３】
本考案は、各種のガスを混入した水または温水を身体などに噴出するための小型で設置容易な気体溶解水噴出装置として有効であって、一般家庭用以外にも、特に美容室，理容室用の特殊シャンプー装置などに適用される。
【図面の簡単な説明】
【００２４】
【図１】本考案の気体溶解水噴出装置の実施の形態を説明するための概略構成図
【図２】本実施の形態における温水混合栓に関する構成を示す斜視図
【図３】本実施の形態における気体溶解水発生部の係合フック部を示す図
【符号の説明】
【００２５】
１  温水混合栓
２  水供給ホース
３  ジョイント体
４  小型ボンベ
４ａ  ガス調節器
５  気体供給ホース
６  気体溶解水発生器
７  水受部
８  気体受部
９  シャワーヘッド
１０  気体溶解水供給ホース
１１  気体溶解水供給部
１５  シャワー用口
１６  流量調節／吐水切替用のハンドル部
１７  温度調節用のハンドル部
１８  係合フック部
【図１】
0003143176.tif 000003
【図２】
0003143176.tif 000004
【図３】
0003143176.tif 000005